Podtech/llm-jp-corpus-v4-ja_patent huggingface dataset:
(57)【要約】【課題】  電極板を所定の長さに切断する際に発生する粉塵が切断刃に付着し、付着した粉塵がコンデンサー及び電池素子の捲回時に粉塵が捲回体である素子に混入する事を防ぐ事で、コンデンサー及び電池の品質向上を図る。【解決手段】  電極を切断する際に発生し移動刃に付着した粉塵が散乱する前に、電極を切断する際に使用する押え板及び固定刃に吸引孔を設け、移動刃に付着した粉塵が吸引孔の直近に近付く時及び横を通過する際に吸引する機構を設ける事にした。【選択図】図１
2009016327.tif 000002
【特許請求の範囲】
【請求項１】
コンデンサー及び電池等の帯状捲回物の原材料を捲回装置において極板材料必要な長さに切断する際に生じる粉塵を切断刃及び押え板に吸引孔を一箇所以上の孔又は長孔を設け吸込むことを特徴とする集塵機能を備えたコンデンサー及び電池素子用捲回装置。
【請求項２】
請求項１の装置において、電極板材料を必要な長さに切断する際に生じる粉塵を切断途中から直後、粉塵が散乱する前に、切断刃及び押え板の吸引孔より吸い込み、ノズルから集塵器を経由し機械外部へ排出することを特徴とする集塵機能を備えたコンデンサー及び電池素子用捲回装置。
【請求項３】
請求項１及び２の装置において、集塵孔を切断刃及び押え板に設けたことにより、粉塵が散乱するのを押え、省スペースで集塵することを特徴とする集塵機能を備えたコンデンサー及び電池素子用捲回装置。
【発明の詳細な説明】
【技術分野】
【０００１】  本発明はコンデンサー及び電池素子材料の捲回装置に関するものである。
【背景技術】
【０００２】  例えば、リチウム電池等の電池は金属集電体に一定の間隔で正極活物質が設けられた塗布部を有する正極集電体と、金属集電体に一定の間隔で負極活物質が設けられた塗布部を有する負極集電体とを備え、この正・負極集電体（電池素子材料）とがセパレーター等絶縁体を介して捲回されたものを電池素子とし、ケース内に収容して構成されている。【０００３】  このような構成の電池素子を得る捲回装置では、それぞれロール状に巻上げられた正・負極電池素子材料（原反）及びセパレーター等絶縁体を捲回部まで間欠的かつ断続的に送り出し、捲回部巻芯によって捲回し、正・負極電池素子材料及びセパレーター等絶縁体を所定の長さに切断して電池素子としている。【０００４】  今日、電池素子中における金属異物混入は厳禁で電池のシート不良や発火事故の原因となり、電池素子の品質向上、信頼性の向上、妨げと成って来た。
【発明の開示】
【発明が解決しようとする課題】
【０００５】  前記に述べた電極板を所定の長さに切断時、発生した粉塵は切断刃に付着し、散乱する事によりコンデンサー及び電池捲回時に粉塵が混入する可能性が大きいと指摘されている。
【課題を解決するための手段】
【０００６】  本発明はこれらの問題を解決するものであり、簡単な構成でコンデンサー及び電池素子に混入率を削減する為に、切断時粉塵が散乱する前に切断刃および押え板の孔で吸引する事で、極板を巻き取る事前に粉塵を除去し、電池の頻出向上を図る事が可能になる。
【作用】
【０００７】  この機構構成によって捲回時に混入する可能性がある切断時の粉塵を吸引し、粉塵の混入を防ぐ事で、コンデンサー及び電池素子の品質を高精度で均質に巻上げる事が出来る。さらに、切断時に極板を押える為の押え板と切断刃に吸引孔を設け粉塵発生箇所に最も近い場所で吸引する事で、省スペース及び少動作でカット屑を吸引する事が出来、部品コストやユニットの縮小を図り高品質なコンデンサー及び電池素子を巻き取る事が可能に成る。
【発明を実施するための最良の形態】
【０００８】  本発明の実施の形態を具体的に図面により説明する。図１は本発明の実施の形態に係る電極カッターに付着した粉塵を吸引する機構の概略構成図である。図１に示すように、電極板の切断及び粉塵の吸引機構の概略構成図である。固定刃取付けＬ金具２とブロックはベース又は台に固定されていて、シリンダ１７の圧力で移動刃ユニット７〜１５が固定刃方向に移動開始で、吸引孔４・９から集塵ノズル５・１０方向に空気が流れ、切断屑を吸引状態にする、押え板８が固定刃に近付きばね１２圧力での電極板１を挟み、移動刃７と固定刃３で電極板１を切断し、移動刃７と押え板８吸引が元の状態に戻る。【０００９】  また前記の極板１を切断時に発生する切り屑及び粉塵が散乱する前に吸引する為に極板１を切断した、切断刃７が元の位置に戻る際に固定刃３に設けた吸引孔４及び押え板８に設けた吸引孔９の横を通る際に、吸引孔４・９により、切断刃７に付着した切り屑及び粉塵を吸引する。【００１０】  また、本発明の電極カッターに付着した粉塵を吸引する機構は電池素子捲回装置に対し複数個設置する事も可能である。
【発明の効果】
【００１１】  本発明は以上説明した通りであり、本発明に係る捲回装置で電極板の切り屑又は粉塵の吸込口を切断刃及び押え板に設置した事で切り屑又は粉塵が他に散乱する事無く、コンデンサー及び電池素子に混入するのを防止し、品質向上を図る事が可能に成る。
【図面の簡単な説明】
【００１２】
【図１】本発明の実施の形態に係るコンデンサー及び電池素子捲回装置で電極板の切り屑又は粉塵の吸込口を切断刃及び押え板に設置した概略構成図である。
【図２】本発明の実施の形態に係るコンデンサー及び電池素子捲回装置で電極板の切り屑又は粉塵の吸込口を切断刃及び押え板に設置した矢視Ａの正面図を示す図である。
【符号の説明】
【００１３】１．      電極素子材料
２．      固定刃取付けＬ金具
３．      固定刃
４．      吸引孔
５．      集塵ノズル
６．      移動刃取付け板
７．      移動刃
８．      押え板
９．      吸引孔
１０．    集塵ノズル
１１．    ガイドピン
１２．    圧縮ばね
１３．    ばね座
１４．    ブッシュ
１５．    ガイド軸
１６．    シリンダ取付けブロック
１７．    シリンダ
【図１】
2009016327.tif 000003
【図２】
2009016327.tif 000004
(57)【要約】【課題】通常光源による光の散乱現象の可視化【解決手段】セルロイドを熱加水分解した抽出液とぶどう糖液を配合した溶液を使用する【特許請求の範囲】
【請求項１】
セルロイドを熱加水分解した抽出液とぶどう糖液を配合した溶液
【発明の詳細な説明】
【技術分野】。【０００１】この発明は、光の散乱現象を鑑賞することを目的とした溶液である
【背景技術】
【０００２】通常のセルロイドおよびブドウ糖液
【発明の開示】
【発明が解決しようとする課題】
【０００３】通常光源による光の散乱現象
【課題を解決するための手段】
【０００４】セルロイドを熱加水分解した抽出液とぶどう糖液を配合する
【発明の効果】
【０００５】水槽にいれることなどによって通常光源による光の散乱現象を鑑賞可能にする
(57)【要約】【課題】  立体的なイルミネーション装置【解決手段】  ガラスにグラスファイバー素子をまぜ、光源にプリズムを配しその光線をガラス面にあてることにより光の散乱現象を起こす【特許請求の範囲】
【請求項１】
ガラスにグラスファイバー素子をまぜ、光源にプリズムを配しその光線をガラス面にあてることにより光の散乱現象を起こす光源装置
【発明の詳細な説明】
【技術分野】。【０００１】  この発明は、光の散乱現象を鑑賞することを目的とした光源装置である。
【背景技術】
【０００２】  通常の光源およびプリズム、ガラス、グラスファイバー素子
【発明の開示】
【発明が解決しようとする課題】
【０００３】  従来の光源は平面画像しか投射できなかった
【課題を解決するための手段】
【０００４】    本発明はグラスファイバー素子とプリズムによる光の散乱現象によって立体的なイルミネーション効果を可能とする。
【発明の効果】
【０００５】    鑑賞用
(57)【要約】【課題】雪国などでは合掌造り等の重要文化財を雪から護るため大変な苦労をしている様ですが、周波数を上げたＩＨを使へば殆んどトタン板の重さで除雪板が出來、レーン毎にスイッチを入れてゆけば屋根に上る必要もなく危険もありません。【解決手段】  何と云っても大容量ダイオードブリッジを安価に提供してくれるメーカーがいるからです。有難い事です。【選択図】なし【特許請求の範囲】
【請求項１】
最近ＩＨキッチンが殖えて來ましたが、      商用電気周波数が低いので効果にイマイチの所があります。街では１００Ｖで３０Ａから６０Ａのダイオードブリッジが２−３百円で出廻る時代ですので、此の両波整流器のダイオードブリッジの出口の所に通常は並列に大容量コンデンサーを付けて直流にするのですが、      これは大容量コンデンサーを付けない事を特長とする回路で、元の周波数の二倍の周波数の正極パルス波です。  波形は正弦波ではありませんが、ＩＨの熱として使うのなら波形は関係ありません。
二倍の電源周波数になると回路の総ての部品は小型軽量になり加工し易く、誘導電気である  ＩＨの効率も良くなります。
【発明の詳細な説明】
【技術分野】
【０００１】  本発明は電源周波数を簡単に倍増させる事が出來る方法である。
【背景技術】
【０００２】  交流より、直流を作る場合暫々ダイオードブリッジに依り交流を全波整流するが、此時大容量コンデンサーを外づすと１００ＨＺのハムが出た。【０００３】  ＩＨの場合正極のパルス波だけでも周波数に比例した影響を受けるので、元波形に関係なく倍の周波数として作動し、部品も小さく軽くなる。
【発明の開示】
【発明が解決しようとする課題】
【０００４】  真面目に倍の周波数の正弦波を作らうとすると大変で多くの部品を要し、作業も複雑で経済的に不利である。
【解決するための手段】
【０００５】  電源に大電流に堪られる様なダイオードブリッジを挿入する。
【発明の効果】
【０００６】  波形は違うが効果は二倍の周波数になり目的を達っする事が出來る。
【産業上の利用可能性】
【０００７】  ダイオードブリッジの四点を接続すれば良いだけなので簡単です。【０００８】  現在の大電流ダイオードブリッジは安価で効率が良い。
(57)【要約】【課題】  ノイズ吸収具の設置位置を固定可能にすること。【解決手段】ノイズ吸収具１は、電線を通すための貫通開口４を有するフェライトコア２と、半田付け可能な半田付け面５ａが設けられた金属部材３とを連結してなるので、金属部材３の半田付け面５ａをプリント基板に半田付けしてノイズ吸収具１の設置位置を固定することができる。また、半田付け面５ａを両面粘着テープや接着剤にてプリント基板やシャーシ等に貼着しても、同様に固定できる。これにより、フェライトコア２が動いて割れたり、フェライトコア２のエッジでＦＰＣ等が傷つくのを防止できる。【選択図】図１
2009016666.tif 000002
【特許請求の範囲】
【請求項１】
電線を通すための貫通開口を有するフェライトコアと、
半田付け可能な半田付け面が設けられた金属部材と
を連結してなるノイズ吸収具。
【発明の詳細な説明】
【技術分野】
【０００１】
本発明は、ノイズ電流を吸収するためにケーブル等の電線類に装着されるノイズ吸収具の技術分野に属する。
【背景技術】
【０００２】
電線を通すための貫通開口を有するフェライトコアの貫通開口にケーブル等の電線類（例えばフラットケーブル）を通して、そのケーブル等の電線類のノイズ電流をフェライトコアに吸収させる技術がある。
【発明の開示】
【発明が解決しようとする課題】
【０００３】
ノイズ電流を吸収させるためのフェライトコアは、ケーブル等に装着されるだけで、その設置位置を固定されるわけではなかったので、フェライトコアが動いて割れるおそれがあった。また、フェライトコアのエッジでケーブル等が傷つくおそれもあった。
【課題を解決するための手段】
【０００４】
請求項１記載のノイズ吸収具は、電線を通すための貫通開口を有するフェライトコアと、半田付け可能な半田付け面が設けられた金属部材とを連結してなるので、金属部材の半田付け面をプリント基板に半田付けしてノイズ吸収具の設置位置を固定することができる。また、半田付け面を両面粘着テープや接着剤にてプリント基板やシャーシ等に貼着しても、同様に固定できる。これにより、フェライトコアが動いて割れたり、フェライトコアのエッジでケーブル等が傷つくのを防止できる。
【発明を実施するための最良の形態】
【０００５】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１、２に示すように、ノイズ吸収具１は、フェライトコア２と金属部材３とで構成されている。
【０００６】
フェライトコア２は、公知のものと同様、電線を通すための貫通開口４を有している。
この貫通開口４の開口形状は略長方形で、ＦＰＣやフラットケーブルを通すのに適している。
【０００７】
金属部材３は、板金製であり、長方形板状の基部５を有している。この基部５の下面は平坦面であり、半田付け面５ａとなる。
また、基部５の両側部からは連結片７が延出されており、その連結片７の先端部７ａが折り曲げられて貫通開口４に進入している。そして、先端部７ａと基部５とでフェライトコア２の下半部を挟持している。これによってフェライトコア２と金属部材３とが連結されている。
【０００８】
このノイズ吸収具１は、金属部材３の半田付け面５ａをプリント基板に半田付けしてノイズ吸収具１の設置位置を固定することができる。また、半田付け面５ａを両面粘着テープや接着剤にてプリント基板やシャーシ等に貼着しても、同様に固定できる。これにより、フェライトコア２が動いて割れたり、貫通開口４に通したＦＰＣ等が動いたフェライトコア２のエッジで傷つくのを防止できる。
【０００９】
このノイズ吸収具１の貫通開口４に通したＦＰＣ等からのノイズ吸収作用は公知のとおりである。
また、このノイズ吸収具１は、半田付け面５ａ（長方形板状の基部５）をプリント基板のアースパターンに半田付けした場合には、貫通開口４に通したＦＰＣ等と基部５とで容量結合が形成されるので、そのカップリング効果によってＦＰＣ等の高周波電流をグラウンドすることができる。つまり、高周波ノイズを排除する効果も得られる。
［その他］
実施例では貫通開口４を穴状にしているが、溝状（例えばＵ字形）であってもよい。
【００１０】
また、フェライトコアは、複数分割（例えば２分割）構造であってもよい。その場合、金属部材３の連結片７（又は連結片７とは別に設けた把持片）にて、２分割構造のものを接合状態に保持する構成も可能である。
【００１１】
基部５については、両端に脚部を設けて橋状にし、それら脚部に半田付け面５ａとなる平坦部分を設けてもよい。
【図面の簡単な説明】
【００１２】
【図１】実施例のノイズ吸収具の斜視図。
【図２】実施例のノイズ吸収具の正面図。
【符号の説明】
【００１３】
１・・・ノイズ吸収具、
２・・・フェライトコア、
３・・・金属部材、
４・・・貫通開口、
５・・・基部、
５ａ・・・半田付け面、
７・・・連結片、
７ａ・・・先端部。
【図１】
2009016666.tif 000003
【図２】
2009016666.tif 000004
(57)【要約】      （修正有）【課題】簡単な構成でテレビ放送電波を受信するアンテナを一般住宅等の建築物に設置するアンテナ取付装置を提供する。【解決手段】屋根の軒天下地板２に一方端が固着された架台Ａ７と、この架台Ａ７の他方端と着脱自在な架台Ｂ９が設けられた支持部材８と、この支持部材８内に伸縮自在に収納固定され、かつアンテナパイプ１３を支持固定するマスト１２が一体的に形成されたスライドマスト１０とよりなる構成とした。また、架台Ａ７の他方端が軒天化粧板５より突出した状態で軒天下地板２に固着された構成とした。【選択図】図１
2009130658.tif 000002
【特許請求の範囲】
【請求項１】
屋根の軒天下地板に一方端が固着された架台Ａと、この架台Ａの他方端と着脱自在な架台Ｂが設けられた支持部材と、この支持部材内に伸縮自在に収納固定され、かつアンテナパイプを支持固定するマストが一体的に形成されたスライドマストとよりなることを特徴とするアンテナ取付装置。
【請求項２】
架台Ａの他方端が軒天化粧板より突出した状態で軒天下地板に固着されていることを特徴とする請求項１記載のアンテナ取付装置。
【発明の詳細な説明】
【技術分野】
【０００１】
本発明は、テレビ放送電波を受信するアンテナを一般住宅等の建築物に設置するアンテナ取付装置に関するものである。
【背景技術】
【０００２】
従来より、テレビ放送電波を受信するアンテナを一般住宅等の建築物に設置する場合、屋根に屋根馬を配置してアンテナをワイヤで屋根の四隅に張り渡して固定するようにしている。また近年では、軒先に設置するケースも増えてきている。例えば、屋根の軒先側面と下方の壁の２ヶ所に差込みパイプ受けを取り付け、この差込みパイプ受けにアンテナ支持パイプが固着された二つの差込みパイプを長さ調節可能に取り付けてテレビアンテナを軒先に設置する技術が開示されている。（例えば、特許文献１参照）
【特許文献１】特開２００４−３２６５７号  公報
【発明の開示】
【発明が解決しようとする課題】
【０００３】
しかしながら上記従来の構成では、屋根馬を配置しての設置では、金属線で屋根の四隅に張り渡して固定する作業を一人で行うのは非常に困難であり、また安定性が低いといったような課題がある。また後者では、設置の安定性は高いものの軒先側面と下方の壁に取り付けるため新築住宅等の建築物では美観を損ねるし、軒先側面と下方の壁２ヶ所に同様のアンテナ支柱用固定部材が必要となり部品点数の増加およびコストアップの原因ともなっていた。
【０００４】
本発明は上記従来の課題を解決するもので、簡単な構成でテレビ放送電波を受信するアンテナを一般住宅等の建築物に設置するアンテナ取付装置を提供することを目的とする。
【課題を解決するための手段】
【０００５】
上記課題を解決するために本発明のアンテナ取付装置は、屋根の軒天下地板に一方端が固着された架台Ａと、この架台Ａの他方端と着脱自在な架台Ｂが設けられた支持部材と、この支持部材内に伸縮自在に収納固定され、かつアンテナパイプを支持固定するマストが一体的に形成されたスライドマストとを備えた構成としたものである。従って、支持部材の架台Ｂを架台Ａの他方端に固着するだけで支持部材が軒下に設置でき、スライドマストを適宜位置に固定すれば極めて容易にアンテナの設置ができるという作用を有することとなる。
また本発明の第２のアンテナ取付装置は、架台Ａの他方端が軒天化粧板より突出した状態で軒天下地板に固着されている構成としたものである。従って、後付けの場合でも美観を損なうことなく軒下に極めて容易にアンテナの設置ができるという作用を有する。
【発明の効果】
【０００６】
本発明のアンテナ取付装置は、上記構成を備えたことにより、支持部材の架台Ｂを架台Ａの他方端に固着するだけで支持部材が軒下に設置でき、スライドマストを適宜位置に固定すれば極めて容易にアンテナの設置ができる。また、架台Ａと着脱自在な架台Ｂとを複数ヵ所に設けるとより強固に取り付けることができ、アンテナの設置の安定性がより高くなる。また、建築後にアンテナを後付けする場合でも軒天化粧板より架台Ａの他方端が突出した状態で架台Ａの一方端を軒天下地板に固着するだけで支持部材が軒下に設置でき、美観を損なうことなく軒下に極めて容易にアンテナの設置が行えることになる。さらに、支持部材一ヵ所でアンテナを設置するように構成したので部品点数が減少し、結果としてコストダウンが図れるといったような多くの作用効果が得られる。
【発明を実施するための最良の形態】
【０００７】
以下本発明の一実施の形態について、図面を参照しながら説明する。図１は本発明のアンテナ取付装置の要部断面図である。図において、１は一般住宅における屋根であり通常は軒天下地板２によって支持固定されている。そして先端は軒先側面板３より突出した軒先４を形成し雨水の浸入を防止している。５は軒先側面板３と家屋の側壁６との間に配設される軒天化粧板である。７は一方端が軒天下地板２にボルト等で固着された金属板等よりなる架台Ａで、他方端は上記した軒天化粧板５より突出した状態で取り付けられている。住宅の新築時にはこのような状態にしておけばアンテナ取付けが簡単におこなえる。また後付けする場合は一旦軒天化粧板５を取り外して架台Ａ７が挿通する開口を形成し、架台Ａ７の一方端を軒天下地板２にボルト等で固着した後、開口より架台Ａ７の他方端が突出した状態で元通りに取り付ければアンテナ取付けの準備が整う。
【０００８】
８は筒状の支持部材で、上部に架台Ａ７と同様の金属板等よりなる架台Ｂ９が設けられており、架台Ａ７の他方端とボルト等で着脱自在となるように構成している。１０は支持部材８内に収納配置され伸縮自在にスライドするスライドマストで、適当な位置に固定ネジ１１で固定されるようになっている。１２はスライドマストと一体的に形成されたマストで、テレビ電波を受信するアンテナのアンテナパイプ１３を支持し固定ネジ１４等で固定する構成となっている。なお、架台Ａと架台Ｂは図示では２ヵ所に設けられているがこれに限定されることなく、一ヵ所でも三ヵ所以上でもよくより強固になるよう選択すればよい。
【０００９】
本発明の構成は上記内容であり、軒天化粧板５より突出した状態で取り付けられている架台Ａ７の他方端に支持部材８に設けられた架台Ｂ９をボルト等で固着し、マスト１２が一体的に形成されたスライドマスト１０を支持部材８内に収納して適当な位置に固定ネジ１１で固定する。そしてマスト１２にアンテナのアンテナパイプ１３を挿入支持して固定ネジ１４等で固定することでアンテナの設置ができる。
【産業上の利用可能性】
【００１０】
本発明のアンテナ取付装置は、テレビ放送電波を受信するアンテナを一般住宅等の建築物に設置するアンテナ取付装置として有用である。
【図面の簡単な説明】
【００１１】
【図１】本発明のアンテナ取付装置の要部断面図
【符号の説明】
【００１２】
１    屋根
２    軒天下地板
３    軒先側面板
４    軒先
５    軒天化粧板
６    側壁
７    架台Ａ
８    支持部材
９    架台Ｂ
１０    スライドマスト
１１    固定ネジ
１２    マスト
１３    アンテナパイプ
１４    固定ネジ
【図１】
2009130658.tif 000003
(57)【要約】【課題】エッチングピットの発生、成長をより好適化することにより、静電容量の向上を図ることができる電解コンデンサ用エッチング箔を提供する。【解決手段】アルミニウム箔に対して、酸または／およびアルカリによる前処理工程と、水洗工程と、塩素イオンを含むエッチング液中でのエッチング工程とを有する電解コンデンサ用エッチング箔の製造方法において、前記の前処理工程で使用する処理液に０．００１〜０．０１０ｍｏｌ／Ｌのエチレンジアミン四酢酸またはその塩が配合されていることを特徴とする。【選択図】なし【特許請求の範囲】
【請求項１】
アルミニウム箔に対して、酸または／およびアルカリによる前処理工程と、水洗工程と、塩素イオンを含むエッチング液中でのエッチング工程とを有する電解コンデンサ用エッチング箔の製造方法において、
前記の前処理工程で使用する処理液に、エチレンジアミン四酢酸またはその塩が配合されていることを特徴とする電解コンデンサ用エッチング箔の製造方法。
【請求項２】
前記エチレンジアミン四酢酸またはその塩の濃度が、前処理液全体に対して、０．００１〜０．０１０ｍｏｌ／Ｌであることを特徴とする請求項１に記載の電解コンデンサ用エッチング箔の製造方法。
【発明の詳細な説明】
【技術分野】
【０００１】
本発明は、電解コンデンサ用エッチング箔の製造方法に関するものであり、特に、陰極用エッチング箔または低圧陽極用エッチング箔の製造方法に関するものである。
【背景技術】
【０００２】
電解コンデンサ用電極箔を製造するにあたっては、塩素イオンを含むエッチング液中でアルミニウム箔にエッチング工程を行い、アルミニウム箔の有効表面積を拡大する。
ここで、エッチング液では、塩酸の他、硫酸、リン酸、硝酸等が配合されることもある（例えば、非特許文献１参照）。
【０００３】
なお、エッチング工程の前に、アルミニウム原箔表面に付着した圧延油や不純物層を除去するため、硫酸、塩酸、リン酸、硝酸等の酸溶液や、水酸化ナトリウム、アルミン酸ソーダ等のアルカリ溶液に浸漬する前処理工程を設けることが多く、この場合、前処理工程の後、前処理に用いられた薬品がエッチング液に混入しないよう、水洗工程を設け、しかる後にエッチング工程に入る。
【０００４】
【非特許文献１】永田伊佐也著、「電解液陰極アルミニウム電解コンデンサ」、日本蓄電器工業株式会社、平成９年２月２４日、第２版、Ｐ２４３−２４５
【発明の開示】
【発明が解決しようとする課題】
【０００５】
近年、アルミニウム材料の有効利用や電解コンデンサの更なる小形化に対応するために、高倍率エッチングが行われ、アルミニウム箔の表面積をより効率よく拡大するため、初期のエッチングピット発生を効率よく行わせることが望まれている。
しかしながら、従来の前処理方法では、効率の良いピット発生を行わせるのに十分でなく、さらに効率よくピット発生、成長を行わせることが可能な前処理工程が必要とされている。
【０００６】
以上の問題点に鑑みて、本発明の課題は、効率よく初期のエッチングピットを成長させることのできる電解コンデンサ用エッチング箔の製造方法を提供することにある。
【課題を解決するための手段】
【０００７】
上記課題を解決するために、本発明では、アルミニウム箔に対して、酸または／およびアルカリによる前処理工程と、水洗工程と、塩素イオンを含むエッチング液中でのエッチング工程とを有する電解コンデンサ用エッチング箔の製造方法において、前記の前処理工程で使用する処理液に、エチレンジアミン四酢酸またはその塩が配合されていることを特徴とする。
【０００８】
本発明において、前記前処理溶液におけるエチレンジアミン四酢酸またはその塩の濃度は、０．００１〜０．０１０ｍｏｌ／Ｌであることが好ましい。
【発明の効果】
【０００９】
本発明では、前処理工程において、使用する処理液にエチレンジアミン四酢酸（以下、ＥＤＴＡと称す）またはその塩を添加することにより、アルミニウム箔の表面に対して、従来の前処理液の効果が促進され、エッチングピットの発生、成長をより好適化することができ、静電容量を向上することができると考えられる。
【実施例】
【００１０】
以下、実施例に基づいて本発明を具体的に説明する。
本発明を評価するにあたっては、以下の実施例のいずれにおいても、アルミニウム原箔として、純度９９．８％、厚さ５０μｍの陰極箔用のものを使用し、前処理工程および水洗工程を経て、エッチング工程に入る。
【００１１】
エッチング工程では、塩酸１０．０ｗｔ％、リン酸２．０ｗｔ％、硝酸２．０ｗｔ％、硫酸１．０ｗｔ％を配合したエッチング液を用い、エッチング液の温度を４０℃に設定し、交流（電圧波形：正弦波、周波数：４０Ｈｚ、電流密度：３００ｍＡ／ｃｍ2）を印加した。
【００１２】
上記の方法で電解コンデンサ用エッチング箔を製造するにあたり、本発明の実施例では、前処理工程で用いる溶液に、ＥＤＴＡを添加した。
【００１３】
この前処理工程で用いる処理液は０．１０ｍｏｌ／Ｌ規定の水酸化ナトリウム水溶液であり、表１に示すように、ＥＤＴＡの濃度が、実施例１では０．０００５ｍｏｌ／Ｌ、実施例２では０．００１ｍｏｌ／Ｌ、実施例３では０．００５ｍｏｌ／Ｌ、実施例４では０．０１０ｍｏｌ／Ｌである。
ここで、０．０１０ｍｏｌ／Ｌを超える場合、エチレンジアミン四酢酸が全溶解しなかったため、不適である。
浸漬時間は、６０秒とし、液温は４０℃とした。これらに対して、ＥＤＴＡ添加を行わないものを従来例とした。
【００１４】
【表１】
2009130067.tif 000002
【００１５】
このような方法で製造したエッチング箔について、未化成静電容量を測定し、従来例と比較した結果を表１に示す。なお、表１内の数値は、ＥＤＴＡ添加を行わない従来例の未化成静電容量を１００％としたときの増加率で表わしてある。
【００１６】
表１に示すように、実施例２〜４は、添加を行わない実施例４に比較して、未化成静電容量が２．３〜２．９％増加した。また、ＥＤＴＡの濃度が０．０００５ｍｏｌ／Ｌの実施例１では、十分な効果が得られなかった。
【００１７】
このように本発明の実施例では、前処理工程に用いる溶液にＥＤＴＡを添加することで、アルミニウム箔表面に、効率良くピット発生が起こる状態でエッチングを行うことができ、静電容量を向上させることができた。
なお、ＥＤＴＡ以外に、ＥＤＴＡの塩として、ナトリウム塩、カリウム塩を使用した場合も、上記と同様の効果を得ることができた。
【００１８】
なお、上記実施例では、前処理工程においてアルカリ性処理液にＥＤＴＡ添加したものにアルミニウム原箔を浸漬したが、酸性処理液、アルカリ性処理液にＥＤＴＡ添加したものを使用し、この順に浸漬しても、また、酸性処理液にＥＤＴＡ添加したものに浸漬してもよい。
【００１９】
また、上記実施例では陰極箔を例に説明したが、陽極箔のエッチングの前処理工程に本発明を適用してもよい。
(57)【要約】【課題】  ＬＥＤ基板と複数枚連設し、分割してＬＥＤ基板を１枚でも、また、中抜きしても発光することのできるＬＥＤ連設基板を提供する。【解決手段】  一つの基板に、少なくとも１つのＬＥＤを設けたＬＥＤ基板を複数枚連設し、隣接するＬＥＤ基板に切目を形設してなることを特徴とするＬＥＤ連設基板。【選択図】図１
2009130348.tif 000002
【特許請求の範囲】
【請求項１】
一つの基板に、少なくとも１つのＬＥＤを設けたＬＥＤ基板を複数枚連設し、隣接するＬＥＤ基板に切目を形設してなることを特徴とするＬＥＤ連設基板。
【請求項２】
分割してＬＥＤ基板１枚でも、複数枚連設しても使用できるべく、上下左右４箇所に電源供給用接点を設けてなることを特徴とする請求項１記載のＬＥＤ連設基板。
【請求項３】
ＬＥＤ基板を複数枚連設し、一枚の板状に形成し、内部の所要位置にあるＬＥＤ基板を切り取るべく、切目に中抜き孔を穿設してなることを特徴とする請求項１又は２記載のＬＥＤ連設基板。
【発明の詳細な説明】
【技術分野】
【０００１】  本発明は、ネオンや蛍光灯に代わるチャンネル文字や看板用光源として使用するＬＥＤ連設基板に関するものである。
【背景技術】
【０００２】  従来の技術として、それぞれ異なる電圧の領域で発光する発光部を複数有した複数の発光手段と、これら発光手段に２線の電源線を介して電圧を印加する電力供給手段と、この電力供給手段から前記発光手段に印加する電圧を所定時間内で複数の異なる電圧値に可変する電圧値切換手段とを具備したことを特徴とする表示装置がある。（特許文献１参照）【０００３】  また、別の従来技術として、多数のＬＥＤを複数の組に分割し、その組毎に定電流回路を設け、各定電流回路の出力電流を揃えることにより、全ＬＥＤの電流を均等化することを特徴とする定電流化ＬＥＤ基板がある。（特許文献２参照）
【特許文献１】  特願平１１−２６６１５５号公報
【特許文献２】  実用新案登録第３１０５３０２号公報
【発明の開示】
【発明が解決しようとする課題】
【０００４】  上記前者においては、分割して使用したり、中抜きして使用するものではなく、本発明のＬＥＤ連設基板とは、異なるものである。【０００５】  上記後者は、多数のＬＥＤを同時に均等な電流で駆動する用途において、電流のばらつきが小さく高効率で、電源の設計が容易な定電流化ＬＥＤ基板を実現可能とするものであり、この考案も、本発明のような分割して使用したり、中抜きして使用できるものではない。【０００６】  本発明は、このような従来の構成が有していた問題を解決しようとするもので、ＬＥＤ基板と複数枚連設し、分割してＬＥＤ基板を１枚でも、また、中抜きしても発光することのできるＬＥＤ連設基板を提供することを目的とする。
【課題を解決するための手段】
【０００７】  本発明は、上記の目的を達成するために、一つの基板に、少なくとも１つのＬＥＤを設けたＬＥＤ基板を複数枚連設し、隣接するＬＥＤ基板に切目を形設してなる。
分割してＬＥＤ基板１枚でも、複数枚連設してもしようできるべく、上下左右４箇所に電源供給用接点を設けてなる。
ＬＥＤ基板を複数枚連設し、一枚の板状に形成し、内部の所要位置にあるＬＥＤ基板を切り取るべく、切目に中抜き孔を形設してなることを特徴とする。
【発明の効果】
【０００８】１）、ＬＥＤ基板を複数枚連設し、隣接するＬＥＤ基板に切目を形設し、１枚ずつ分割して、必要なときに、必要な枚数をチャンネル文字や看板用光源として施工できる。
２）、ＬＥＤ基板の上下左右４箇所に電源供給用接点を設けることにより、分割してＬＥＤ基板１枚でも、複数枚でも連設して使用できる。
３）、ＬＥＤ基板を複数枚連設して１枚の板状に形成し、内部の所要位置のＬＥＤ基板を取り外すとき、切目に中抜き孔を形設することにより、この中抜き孔に糸ノコ等を挿入し、切目に沿って切ることにより、中抜きでき、例えば文字等を表示する看板を施工できる。
【発明を実施するための最良の形態】
【０００９】  本発明のＬＥＤ連設基板１は、一つの基板２ａに、４つのＬＥＤ２ｂを設けたＬＥＤ基板２を複数枚連設し、隣接するＬＥＤ基板２ａ…の周囲に小孔３ａを連設し、裏面にＶ字形の溝３ｂを形成してなる切目３を形設すると共に、各ＬＥＤ基板２…の上下左右４箇所に、直接＋−の電源供給用接点４を設けてある。
また、各基板２ａ…の角部（４隅）に中抜き孔５を穿設してある。
さらに、各基板２ａ…の中央に固定用の固定孔６を穿設してある。
なお、７は電流制限抵抗を示し、８はジャンパーである。（図１・２・３参照）【００１０】  上記ＬＥＤ連設基板１の使用例として下記に述べる。
側方から１枚ずつＬＥＤ基板２…を取り外す場合切目３を折り曲げることにより割れ、簡単に分割して使用（単体で）できる。【００１１】  また、内部のＬＥＤ基板２…を取り外す場合は、所要の中抜き孔５に糸ノコ（図示せず）等を挿入して周囲（切目３に沿って）を切断して、中抜きするものである。
図４に示すように、日文字を中抜きすることにより施工できるものである。【００１２】  上記実施例において、隣接する電源供給用接点は、すべて通電しており、中抜きしても、１箇所の電源供給用接点に通電すれば、全体のＬＥＤ基板が発光するものである。
【図面の簡単な説明】
【００１３】
【図１】  本発明の一実施例を示すＬＥＤ連設基板の正面図。
【図２】  本発明の一実施例を示すＬＥＤ連設基板の拡大正面図。
【図３】  本発明の一実施例を示すＬＥＤ連設基板の拡大背面図。
【図４】  本発明の一実施例を示すＬＥＤ連設基板の使用状態の正面図。
【符号の説明】
【００１４】１−−−ＬＥＤ連設基板
２−−−ＬＥＤ基板
２ａ−−基板
２ｂ−−ＬＥＤ
３−−−切目
３ａ−−小孔
３ｂ−−溝
４−−−電源供給用接点
５−−−中抜き孔
６−−−固定孔
７−−−電源制限抵抗
８−−−ジャンパー
【図１】
2009130348.tif 000003
【図２】
2009130348.tif 000004
【図３】
2009130348.tif 000005
【図４】
2009130348.tif 000006
(57)【要約】      （修正有）【課題】地震吸収軽減装置の提供。【解決手段】建築構造物壁面内に左右同寸吊ワイヤー１により吸収重り２を吊り、吸収重り２と左右の枠を左右同力揺静止バネ３により連結することにより地震のゆれを軽減する。【選択図】図１
2009235886.tif 000002
【特許請求の範囲】
【請求項１】
建築構造物壁面分（１）左右同寸吊ワイヤー（２）吸収重り（３）左右同力揺静止バネにより地震揺吸収軽減装置
【発明の詳細な説明】
【技術分野】
【０００１】  この発明は２点で吊った重りと静止バネで地震吸収軽減装置に関するものである。
【背景技術】
【０００２】    従来、壁内には筋違固定があり倒壊防止になっていた。
【発明の開示】
【発明が解決しようとする課題】
【０００３】  これは、次のような欠点があった。筋違は、倒壊防止が最大の役割で地震のゆれを吸収する装置ではない。本発明は、以上の欠点を筋違と併用する事で欠点を解消する。
【課題を解決するための手段】
【０００４】  建築構造物壁面分（１）左右同寸吊ワイヤー（２）吸収重り（３）左右同じ同力揺れる静止バネを設けた地震吸収軽減装置。
【発明の効果】
【０００５】  左右同寸の吊ワイヤーで吊られた重りが左右に動く力を直ぐに吸収する事により地震のゆれを軽減出来る。
【発明を実施するための最良の形態】
【０００６】  以下、本発明を実施するための最良の形態について説明する。
建築構造物壁面分（１）左右同じ長さのワイヤーで（２）重りを吊り地震のゆれで重りがゆれを吸収する（３）左右同じ力の揺静止バネで早く静止させる事により地震吸収軽減する事が出来る
【図面の簡単な説明】
【０００７】
【図１】本発明の側面図である。
【図２】本発明の斜視図である。
【符号の説明】
【０００８】      （１）  左右同じ長さの吊ワイヤー
（２）  吸収重り      （３）  左右同力揺静止バネ
【図１】
2009235886.tif 000003
【図２】
2009235886.tif 000004
(57)【要約】【課題】  従来の集合住宅は通常１階および地下１階に駐車場があり、車をおりてから荷物をもってエレベーターに乗り込み、自分の住戸のある階で、エレベーターを降り、廊下を歩いて自宅の玄関までたどりついてから家の中にはいるシステムであった。そのため車のもつ利便性を充分に活かしきった計画とはいえず、高齢化社会にも適している状況ではなかった。【解決手段】  駐車場を車路（スロープ）として集合住宅の各住戸までのばすことにより、かなりの高層階であっても、自走式の駐車場を玄関のまえにとることが可能になった。また駐車場と玄関のある階のうえにスロープの勾配なりに配置された、メゾネットの住居階をとることにより、車と近いが、住居として独立した環境を確保することが、可能となった。この集合住宅と駐車場をあたらしく組み合わせることにより、近未来的高齢化社会に対応可能な、あらたな展開がひらかれるものと考えられる。【選択図】図５
2009235885.tif 000002
【特許請求の範囲】
【請求項１】
自走式のスロープ型パーキングにより高層の集合住宅各戸の玄関先まで車でアクセスできるシステムである事
【請求項２】
自走式スロープ型パーキングのフロアーは住宅各戸の玄関と付属室（ゲストルーム、アトリエなど）で構成され、集合住宅の主階の居住スペースは上の階に位置する。パーキングフロアーと居住フロアーは交互にくみあわせられ立体的に分離されている。
【請求項３】
上記請求項１、請求項２を満たすために集合住宅各戸はそれぞれがメゾネットタイプの集合住宅である。
【発明の詳細な説明】
【技術分野】
【０００１】  本発明は車社会に適合し、高齢化社会にも適合したパーキングシステムと、メゾネット型高層集合住宅を立体的に組み合わせたシステムに関する。
【背景技術】
【０００２】従来の集合住宅は通常１階または地下１階に駐車場があり、車を降りてから、荷物をもってエレベーターに乗り込み、自分の住戸のある階でエレベーターを降り，廊下を歩いて自宅の玄関までたどり着いたら家のなかに入るというシステムであった。高級マンションといえど自宅のある、たとえば８階の住戸の玄関まで車をつけられる、マンションは存在していないと思われる。【０００３】また高層集合住宅の玄関レベルに車がアクセスすることのみをとらえれば、高層集合住宅の横にパーキング棟を併設すれば事は足りる。ところが、これでは住居と駐車場の位置が分離していないため、排気ガスや騒音の問題が解決されず、理想的居住環境がえられない。【０００４】また平面計画上同一の階に集合住宅と駐車場を併置させるのは、限られた敷地面積のなかで計画するうえで大きな制約となる。【０００５】
【特許文献１】特公平０２−０４２９８６
【発明の開示】
【発明が解決しようとする課題】
【０００６】上述の０００２に記したごとく、１階または地下１階に駐車場をもつ高層集合住宅では車を降りてからの動線が長く車のもつ利便性を生かしきれていない。【０００７】上述の０００３、および０００４に記したごとく、高層のパーキングを高層集合住宅を平面的に並べただけでは、理想的な居住スペースがえられないため、立体的に工夫し解決する必要があった。
【課題を解決するための手段】
【０００８】本発明は集合住宅の各戸の玄関まで車がアクセスできるようにスロープをもうけることにより、高層階の住戸の玄関前まで車が自走し、玄関前に充分な駐車スペースを作ろうとするあたらしいアイディアである。【０００９】また住居の環境をまもるため、パーキングの階には住戸の玄関と階段、ゲストルーム、ホームＥＶなどをとり、メインの居住スペースは上の階にもうけるメゾネットシステムとしている。
【発明の効果】
【００１０】以上説明したように，本発明によれば、高層の見晴らしの良い居住スペースに車に乗りながらアクセスできる。お年寄りをかかえている家庭であれば、介護の車や場合によれば救急車の乗り入れも可能である。またＳＯＨＯとしてアトリエをかまえている住居であれば、打ち合わせの客がアクセスできるなど幅広い使い方ができるなど、近未来的生活が可能になると考えられる。
【発明を実施するための最良の形態】
【００１１】以下、本発明の実施の形態を図１〜図１０に基づいて説明する。【００１２】一階の平面図において管理人室の前に車のための高頻度リングシャッターをもうけ車の出入りを管理する。車で自宅住戸にアクセスする人はここを通過し、車路（スロープ）にいたる。【００１３】また徒歩にて自宅住戸にアクセスする人はメールコーナーを通りエレベーターロビーに行き、エレベーターにのり、自宅住戸にいたる。【００１４】パーキング、エントランスの階の平面図は、車路（スロープ）にそって、各住戸のエントランスがならぶ状態をしめしている。基本計画では各住戸の間口寸法を８ｍとし１住戸あたり３台の駐車スペースを確保する。【００１５】住戸階の平面図はメゾネット住戸の上の階をしめしている。
階段またはホームＥＶでうえの階にあるメインの居住スペースにいたる計画で、下の階の車路（スロープ）の傾斜にそって、となりの住戸とレベル差がつけられている。【００１６】Ｒ階は屋上庭園として緑化され住人の憩いの場所として利用されることがのぞまれる。【００１７】断面図（Ｙ１−Ｙ２断面、Ｙ６−Ｙ７断面）では車路（スロープ）の階とメゾネット住戸の階との関係がしめされている。車路の階と住戸の階が４層で建設する例を書いた図であるが、コストや法規によっては、５層６層またもっと高層の計画も可能である。【００１８】断面図（Ｘ１−Ｘ２断面からＸ８−Ｘ９断面）では車路（スロープ）の階とそのうえの住居の階のレベル差が徐々にかわっている状況をしめしている。また車路及び住戸の床とそれぞれの隔て壁が構造として、構成されている様子がしめされている。
【図面の簡単な説明】
【００１９】
【図１】１階平面図  Ｓ１：３００
【図２】パーキング．エントランス階平面図  Ｓ１：３００
【図３】住居階平面図  Ｓ１：３００
【図４】Ｒ階平面図  Ｓ１：３００
【図５】断面図  Ｓ１：３００
【図６】断面図  Ｓ１：３００
【図７】断面図  Ｓ１：３００
【図８】断面図  Ｓ１：３００
【図９】断面図  Ｓ１：３００
【図１０】断面図  Ｓ１：３００
【図１】
2009235885.tif 000003
【図２】
2009235885.tif 000004
【図３】
2009235885.tif 000005
【図４】
2009235885.tif 000006
【図５】
2009235885.tif 000007
【図６】
2009235885.tif 000008
【図７】
2009235885.tif 000009
【図８】
2009235885.tif 000010
【図９】
2009235885.tif 000011
【図１０】
2009235885.tif 000012
(57)【要約】【課題】金型角部の摩耗によるタイル裏面縁部のバリ発生を抑制し、タイル裏面と樹脂マットとの間に隙間が生じることを解決することに加え、製造時、輸送時および敷設時に縁部が破損し難いユニット床材を提供する。【解決手段】樹脂マット上に表面材を接着したユニット床材であって、当該表面材がセラミックからなり、当該表面材の裏面の縁部が面取りされていることを特徴とするユニット床材。【選択図】  図１
2009235681.tif 000002
【特許請求の範囲】
【請求項１】
樹脂マット上に表面材を接着したユニット床材であって、当該表面材がセラミックからなり、当該表面材の裏面の縁部が面取りされていることを特徴とするユニット床材。
【請求項２】
前記表面材が、磁器質の骨材を焼結バインダで一体化したセラミックからなり、その内部に表側の面から裏側の面に通ずる連続空隙を有する、請求項１記載のユニット床材。
【発明の詳細な説明】
【技術分野】
【０００１】
本発明は、ベランダ、バルコニー、テラス等に敷設されるユニット床材に関する。
【背景技術】
【０００２】
住宅等のバルコニー、ベランダ、テラス等に、美観の向上を目的とし、互いに連結して敷設されるユニット床材が好適に用いられる。
【０００３】
この種のユニット床材はセラミックタイル、天然木材、合成木材等の表面材と樹脂マットを接着剤や金属ビス等の接着手段によって接着されたものが一般的であり、なかでも、耐久性、防汚性等の性能に優れ、高級感のあるセラミックタイルが好適に用いられる。
【０００４】
前記セラミックタイルとして、粘土、長石等の天然鉱物からなる微粒のスプレー粉を用い、緻密に形成した陶磁器質タイルや、陶磁器屑やスラグといった磁器質骨材とガラス質バインダを用い、内部に連続空隙を形成させた透水タイルがあり、いずれも原料を鋼製金型に充填しプレス成形した後に焼成する工程を経て製造される。
【０００５】
上述した製造工程のうち、原料を鋼製金型に充填する工程を繰り返し行うことにより、原料と金型との摩擦により鋼製金型が摩耗することは当然のことであるが、特にタイル表面および裏面の縁部にあたる金型上下角部の摩耗が顕著に発生することが知られている。角部の摩耗した金型を用いプレス成形すると、タイル表面および裏面の縁部にバリが発生する。      
【０００６】
表面縁部にバリが発生した場合、見栄えが悪くなる、歩行した際にケガをする可能性があるなどの問題が懸念され、また、裏面縁部にバリが発生した場合、タイルと樹脂マットを接合する際にタイル裏面と樹脂マットの間に隙間生じ、接合不良等の品質問題、段差による躓き問題が懸念される。
【０００７】
さらにセラミックタイルであるが故に、衝撃により破損し易く、特にタイル表面および裏面の縁部については、製造時や輸送時に他のタイルと接触する等の僅かな衝撃で破損し易いのに加え、ユニット床材としてバルコニー等に敷設した際、樹脂マットがバルコニーの不陸に追従し撓むことにより、樹脂マットに接するタイル裏面縁部が欠けるといった問題が懸念される。
【０００８】
上述した問題を改善する手段として、表面４辺を傾斜斜面上にカットした形状のタイルを複数枚用いたユニットタイルが開示されている（特許文献１参照）。しかし、本技術を用いることにより、タイル表面縁部の破損を軽減することは可能であるが、タイル裏面と樹脂マットとの間に隙間が生じることによる、接合不良等の品質問題や段差による躓き問題を解決するに至っていない。
【特許文献１】実用新案登録第２６０４３０４号公報
【発明の開示】
【発明が解決しようとする課題】
【０００９】
本発明は、かかる従来技術の欠点を解消し、金型角部の摩耗によるタイル裏面縁部のバリ発生を抑制し、タイル裏面と樹脂マットとの間に隙間が生じることを解決することに加え、製造時、輸送時および敷設時に縁部が破損し難いユニット床材を提供することを目的とする。
【課題を解決するための手段】
【００１０】
すなわち本発明は、樹脂マット上に表面材を接着したユニット床材であって、当該表面材がセラミックからなり、当該表面材の裏面の縁部が面取りされていることを特徴とするユニット床材である。
【発明の効果】
【００１１】
本発明によれば、金型角部の摩耗によるタイル裏面縁部のバリ発生を抑制し、樹脂マットとの間に隙間が生じることを回避できることに加え、製造時、輸送時および敷設時に表面セラミックタイル縁部が破損し難いユニット床材を提供することができる。
【発明を実施するための最良の形態】
【００１２】
図１は本発明に用いるユニット床材の一実施例を示し、（Ａ）は表面図、（Ｂ）は側面図である。図２は本発明のセラミックタイルの一実施例の断面図を示す。本発明のユニット床材は、樹脂マット１上にセラミックタイル２を接着したユニット床材であり、樹脂マット１と接するセラミックタイル２の裏面の縁部が面取り加工されていることが必須である。
【００１３】
面取り加工の態様としては例えば、図２に示すとおり、カット形状（Ａ）、Ｒ形状（Ｂ）、階段形状（Ｃ）でもよく、図３に示すとおり複数の面取り加工が実施されていても良い。また、これら形状に限定されることなく、同様の効果が得られる形状、つまりはタイル裏面の縁部が他の部分と比較し、肉盗みされていれば良い。
【００１４】
上述した面取り加工を施すことにより、金型角部の摩耗によるタイル裏面縁部のバリ発生を軽減することが可能となり、樹脂マットとの接合不良によるタイル表面の段差発生を防止でき、また、製造時、輸送時および敷設時に縁部が破損し難いユニット床材を提供することができる。
【００１５】
タイル裏面縁部に面取り加工を施すために、金型裏面の角部形状を肉盛することにより、原料との摩擦により、金型が摩耗しバリが発生するまでの期間を延長するこが可能となり金型の長寿命化にも繋がる。
【００１６】
前記表面材が、磁器質の骨材を焼結バインダで一体化したセラミックからなり、その内部に表側の面から裏面に通じる連続空隙を有する透水性タイルであることが好ましい。透水性タイルは、連続空隙を形成するため、磁器質骨材を焼結バインダで点接着した構成であることから、不透水タイルと比較して縁部の欠けが発生し易い。また、磁器質骨材が鋭利な形状であるため金型の角部が摩耗し易い。よって、面取り加工を施すことにより、より顕著な効果が得られる。
【図面の簡単な説明】
【００１７】
【図１】本発明のユニット床材の一実施例を示し、（Ａ）は平面図、（Ｂ）は側面図である。
【図２】本発明のユニット床材に用いるセラミックタイルを示す断面図である。
【図３】本発明のユニット床材に用いるセラミックタイルの他の形態を示す断面図である。
【符号の説明】
【００１８】
１  樹脂マット
２  表面材
３  面取り部
【図１】
2009235681.tif 000003
【図２】
2009235681.tif 000004
【図３】
2009235681.tif 000005